(57)【特許請求の範囲】
【請求項１】
複数の画像形成装置を通信可能に接続させ，親機となる任意の画像形成装置が複写対象の原稿を読み取り，子機となる他の画像形成装置に対して原稿情報および連結指示情報を供給し，同一原稿から前記複数の画像形成装置が分担・並行して同一複写処理を実行する連結複写機能を備え，かつ，少なくとも前記子機が，各曜日毎に設定されたＯＮ／ＯＦＦ時間に合わせて主電源をＯＮ／ＯＦＦするウィークリータイマー機能を備えた複写機ネットワークシステムの連結複写方法において，
前記親機から複写動作を行っていない前記子機に対して連結動作通知がなされた場合，前記子機は前記子機から前記親機に対する連結動作応答が返されるまでの前記親機から前記子機に対して既に前記連結動作通知がなされている期間は，前記ウィークリータイマー機能を無効とすることを特徴とする複写機ネットワークシステムの連結複写方法。
【請求項２】
前記親機から連結動作解除通知があった時点で，既に電源ＯＦＦ時刻に達している場合，前記ウィークリータイマー機能を有効とし，前記連結動作解除通知後に前記子機の電源をＯＦＦすることを特徴とする請求項１に記載の複写機ネットワークシステムの連結複写方法。
【請求項３】
複数の画像形成装置を通信可能に接続させ，親機となる任意の画像形成装置が複写対象の原稿を読み取り，子機となる他の画像形成装置に対して原稿情報および連結指示情報を供給し，同一原稿から前記複数の画像形成装置が分担・並行して同一複写処理を実行する連結複写機能を備え，かつ，少なくとも前記子機が，定着温度を一定温度下げる余熱省電力モードを備えた複写機ネットワークシステムの連結複写方法において，
前記親機から複写動作を行っていない前記子機に対して連結動作通知がなされた場合，前記子機は前記子機から前記親機に対する連結動作応答が返されるまでの前記親機から前記子機に対して既に前記連結動作通知がなされている期間は，前記余熱省電力モードを無効とすることを特徴とする複写機ネットワークシステムの連結複写方法。
【発明の詳細な説明】
【０００１】
【発明の属する技術分野】
本発明は，複数のネットワークプリンタやネットワークコピーにおいて，１つの画像に対する複写動作を，複数の画像形成装置で分担し，並行処理する連結複写動作を実行する複写機ネットワークシステムの連結複写方法に関し，特に，連結複写動作時にウィークリータイマー機能あるいは余熱機能を無効とし，連結複写動作解除後にそれぞれの機能を有効にする複写機ネットワークシステムに関する。
【０００２】
【従来の技術】
従来，１枚の複写原稿から大量の複写枚数を効率的に処理するための方法（システム）として，画像形成装置を複数連結し，それぞれ並行複写を行う，いわゆる連結動作が知られている。換言すれば，この連結動作は，例えば１枚の原稿を１００枚複写する際，２台の画像形成装置でそれぞれ５０枚ずつ印刷を分担させ，１台の半分の時間で処理する機能である。上記連結動作は，始めに親機側で連結開始キを押下し，次に親機から子機に対して連結動作通知を行い，親機側で各種モードを設定した後，親機の複写開始キー押下により開始される。
【０００３】
また，最近の画像形成装置には，省電力化の一つの手段として，「ウィークリータイマー」や「余熱」の機能（モード）が設けられている。ウィークリータイマーは，各曜日ごとに設定されたＯＮ／ＯＦＦ時間に合わせ電源をＯＮ／ＯＦＦする機能が搭載されているものがある。また，ウィークリータイマーには，規定時間外の複写作業を禁止するという主機能がある。
【０００４】
予熱は，定着温度を一定温度（たとえば１０℃）下げて制御し，操作部表示を消すことにより，消費電力を節約するモードである。このモードの設定は，操作部でのキー入力や，機械設定によっては動作および操作が無くなってから一定時間後に自動的に設定される。このモードの解除は，操作部でのキー入力や，機械設定によって人体検知センサにより機械の前に人が立ったことを検出したときに解除される。
【０００５】
なお，本発明に関連する参考技術文献として，例えば特開平８−９８０３８号公報の『デジタル複写機のネットワークシステム』，特開平−９７９５９号公報の『デジタル複写機のネットワークシステム』が開示されている。
【０００６】
特開平８−９８０３８号公報のシステムでは，各デジタル複写機に操作機にて利用となっている場合，操作機以外の利用可能になっていないデジタル複写機での機能を利用する動作を可能にし，操作性および作業効率の向上を図っている。また，特開平−９７９５９号公報のシステムでは，少なくとも２台以上のデジタル複写機に動作コマンドおよび画像情報を通信する通信手段を設けて構成されたデジタル複写機のネットワークシステムにおいて，該システム内の少なくとも２台以上のデジタル複写機に，消費電力をスタンバイ時よりも下げる余熱モードを有する場合，１台のデジタル複写機の余熱モードの解除に応じて，他のデジタル複写機の余熱モードを解除する余熱モード解除手段を設け，操作性を向上させ，かつコピー開始までの時間短縮化を図っている。
【０００７】
【発明が解決しようとする課題】
しかしながら，上記の示されるような従来の技術にあっては，連結動作キーを押下中（親機での連結複写モード設定中）に子機側がウィークリータイマーによる電源ＯＦＦ状態に移行してしまうと，連結動作を行うためには親機から子機に対して電源再立ち上げ手段が必要となる。また，仮に電源再立ち上げ手段を用意した場合でも，再立ち上げまでに定着ローラを所定の定着温度に加熱するための一定時間の待ち時間が生じるため，連結動作により効率的な作業を要求しているにも関わらず，円滑な複写作業の停滞を招来させるという問題点があった。
【０００８】
また，ウィークリータイマーと同様に，連結動作キー押下中に子機側が余熱移行時間到達による余熱状態に移行してしまうと，連結動作を行うためには親機から子機に対する余熱状態からの再立ち上げ手段が必要となる。また，仮に再立ち上げ手段を用意しても，上述と同様の理由で，円滑な複写作業の停滞を招来させるという問題点があった。
【０００９】
さらに，ウィークリータイマーのＯＮ時間中に連結複写動作を開始し，電源ＯＦＦ時間中に連結複写動作を終了させる場合，子機側の動作としては，即時電源をＯＦＦすることが望ましい。
【００１０】
本発明は，上記課題に鑑みてなされたものであり，親機からの連結動作通知中には，子機側のウィークリータイマーによる電源ＯＦＦ動作を抑止することにより，より円滑な連結複写作業を実現することを第１の目的とする。
【００１１】
また，連結動作解除後に再度ウィークリータイマーのチェックを行い，既に電源ＯＦＦ時刻に到達している場合には子機の電源を即時ＯＦＦすることにより，ウィークリータイマーの主機能を連結システムでも正しく実現することを第２の目的とする。
【００１２】
また，親機からの連結動作通知中には，子機側の余熱モード設定時における余熱移行動作を抑止することにより，より円滑な連結複写作業を実現することを第３の目的とする。
【００１３】
また，連結動作解除後に再度余熱モードであるかのチェックを行い，余熱に設定されていた場合には子機を余熱モードに移行することにより，余熱モードを連結システムでも正しく実現することを第４の目的とする。
【００１４】
【課題を解決するための手段】
上記課題を解決するために，請求項１に係る複写機ネットワークシステムの連結複写方法にあっては，複数の画像形成装置を通信可能に接続させ，親機となる任意の画像形成装置が複写対象の原稿を読み取り，子機となる他の画像形成装置に対して原稿情報および連結指示情報を供給し，同一原稿から前記複数の画像形成装置が分担・並行して同一複写処理を実行する連結複写機能を備え，かつ，少なくとも前記子機が，各曜日毎に設定されたＯＮ／ＯＦＦ時間に合わせて主電源をＯＮ／ＯＦＦするウィークリータイマー機能を備えた複写機ネットワークシステムの連結複写方法において，前記親機から複写動作を行っていない前記子機に対して連結動作通知がなされた場合，前記子機は前記子機から前記親機に対する連結動作応答が返されるまでの前記親機から前記子機に対して既に前記連結動作通知がなされている期間は，前記ウィークリータイマー機能を無効とするものである。
【００１５】
また，請求項２に係る複写機ネットワークシステムの連結複写方法にあっては，請求項１において，前記親機から連結動作解除通知があった時点で，既に電源ＯＦＦ時刻に達している場合，前記ウィークリータイマー機能を有効とし，前記連結動作解除通知後に前記子機の電源をＯＦＦするものである。
【００１６】
また，請求項３に係る複写機ネットワークシステムの連結複写方法にあっては，複数の画像形成装置を通信可能に接続させ，親機となる任意の画像形成装置が複写対象の原稿を読み取り，子機となる他の画像形成装置に対して原稿情報および連結指示情報を供給し，同一原稿から前記複数の画像形成装置が分担・並行して同一複写処理を実行する連結複写機能を備え，かつ，少なくとも前記子機が，定着温度を一定温度下げる余熱省電力モードを備えた複写機ネットワークシステムの連結複写方法において，前記親機から複写動作を行っていない前記子機に対して連結動作通知がなされた場合，前記子機は前記子機から前記親機に対する連結動作応答が返されるまでの前記親機から前記子機に対して既に前記連結動作通知がなされている期間は，前記余熱省電力モードを無効とするものである。
【００１８】
【発明の実施の形態】
以下，添付図面を参照して，本発明の複写機ネットワークシステムの連結複写方法として好適な実施の形態を詳細に説明する。
【００１９】
［画像形成装置の構成］，［画像形成装置の操作部］，［画像形成装置の制御系（第１の構成例），（第２の構成例）］，［画像形成装置の画像処理部］，［複写機ネットワークシステム］，［ネットワークコピー機のハード構成］，［用語の説明・定義］，［動作例：（連結動作中のウィークリータイマーによる電源ＯＦＦ動作制御例），（連結動作中の余熱動作制御例）］の順に説明を行う。
【００２０】
［画像形成装置の構成］
図１は，この発明の実施の形態１に係る画像形成装置の構成図である。ＡＤＦ（自動原稿送り装置）１０１の原稿台１０２上に原稿画像面を上にして置かれた原稿束（図示せず）は，後述する操作部２０１上のプリントキー２０２が押下されると一番下の原稿から給送ローラ１０３及び給送ベルト１０４によってコンタクトガラス１０５上の所定の原稿読取位置に給送される。
【００２１】
コンタクトガラス１０５上に給送された原稿は，読み取りユニット１０６によって原稿画像が読み取られた後，給送ベルト１０４及び排送ローラ１０７によって排出される。さらに，原稿セット検知センサ１０８にて原稿台１０２上に次の原稿が有ると検知された場合，次の原稿は，前の原稿と同様な動作を繰り返す。なお，給送ローラ１０３，給送ベルト１０４及び排送ローラ１０７は，図示せぬ搬送モータによって駆動される。
【００２２】
また，第１トレイ１０９，第２トレイ１１０及び第３トレイ１１１に積載された転写紙は，各々，第１給紙部１１２，第２給紙部１１３及び第３給紙部１１４によって給紙され，縦搬送ユニット１１５によって感光体ドラム１１６に当接する位置まで搬送される。読み取りユニット１０６にて読み取られた原稿画像は画像データとして，書き込みユニット１１７から出力されるレーザ光によって感光体ドラム１１６に書き込まれ，現像ユニット１１８によってトナー像として可視化される。
【００２３】
次に，転写紙は，搬送ベルト１１９によって感光体ドラム１１６の回転と等速で搬送されながら，感光体ドラム１１６上のトナー像を転写される。転写紙に転写されたトナー像は，定着ユニット１２０で画像として定着させられる。続いて，画像を定着（以下，作像と記す）された転写紙は，排紙ユニット１２１によって後処理装置であるフィニッシャー１２２に排出される。
【００２４】
後処理装置のフィニッシャー１２２は，装置本体の排紙ユニット１２１によって搬送された転写紙を，排紙トレイ１２６方向やステイプル処理部（図面左下）方向に導くことができる。このときの導き方は，切り換え板１２４を使用して行われる。切り換え板１２４を上に切り替えることにより，排紙ローラ１２３及び搬送ローラユニット１３２を経由して通常の排紙トレイ１２６側に排紙することができる。また，切り換え板１２４を下方向に切り替えることで，搬送ローラ１２５，１２７を経由して，ステイプル台１２８に搬送することができる。
【００２５】
ステイプル台１２８に積載された転写紙は，一枚排紙される毎に紙揃え用のジョガー１２９によって紙端面が揃えられ，一部のコピー完了と共にステープラ１３０によって綴じられる。ステープラ１３０で綴じられた転写紙群は自重によってステイプル完了排紙トレイ１３１に収納される。
【００２６】
一方，通常の排紙トレイ１２６は前後に移動可能な排紙トレイである。前後に移動可能な排紙トレイ１２６は，原稿毎，あるいは，後述する画像メモリ５０１によってソーティングされたコピー一部毎に，前後に移動し，簡易的に排出されてくるコピー紙を仕分けるものである。
【００２７】
転写紙の両面に画像を作像する場合は，第１トレイ１０９，第２トレイ１１０及び第３トレイ１１１から給紙され作像された転写紙を排紙トレイ１２６側に導かないで，経路切り換えのための分岐爪１３３を上側にセットすることで，一旦，両面給紙ユニット１３４にストックする。
【００２８】
その後，両面給紙ユニット１３４にストックされた転写紙は，両面給紙ユニット１３４から再び給紙され，感光体ドラム１１６に形成されたトナー画像を転写された後，経路切り換えのための分岐爪１３３を下側にセットすることにより，排紙トレイ１２６に導かれる。このように両面給紙ユニット１３４は，転写紙の両面に作像する場合に使用される。
【００２９】
感光体ドラム１１６，搬送ベルト１１９，定着ユニット１２０，排紙ユニット１２１及び現像ユニット１１８は，メインモータ（図示せず）によって駆動され，第１給紙部１１２，第２給紙部１１３及び第３給紙部１１４は，メインモータの駆動を各々，第１給紙クラッチ（図示せず），第２給紙クラッチ（図示せず）及び第３給紙クラッチ（図示せず）によって伝達することにより駆動される。縦搬送ユニット１１５は，メインモータの駆動を中間クラッチ（図示せず）によって伝達することにより駆動される。
【００３０】
次に，画像読み取りユニット１０６における画像の読み取り動作，及び，書き込みユニット１１７における画像の書き込み動作，即ち，画像を記録面上に潜像形成するまでの動作について説明する。ここで潜像とは，感光体面上に画像を光り情報に変換して照射することにより生じる電位分布である。
【００３１】
先ず，読み取りユニット１０６は，原稿を載置するコンタクトガラス１０５と，光学走査系とで構成されている。光学走査系は，露光ランプ１３５，第１ミラー１３６，レンズ１３７，ＣＣＤイメージセンサ１３８，第２ミラー１３９及び第３ミラー１４０等で構成されている。露光ランプ１３５及び第１ミラー１３６は，第１キャリッジ（図示せず）上に固定され，第２ミラー１３９及び第３ミラー１４０は，第２キャリッジ（図示せず）上に固定されている。原稿画像を読み取るときには，光路長が変わらないように，第１キャリッジと第２キャリッジとが２対１の相対速度で機械的に走査される。この光学走査系は，スキャナ駆動モータ（図示せず）にて駆動される。
【００３２】
また，原稿画像は，ＣＣＤイメージセンサ１３８によって読み取られ，電気信号に変換されて処理される。レンズ１３７及びＣＣＤイメージセンサ１３８を左右方向（図１において）に移動させることにより，画像倍率が変わる。即ち，指定された倍率に対応してレンズ１３７及びＣＣＤイメージセンサ１３８の左右方向に位置が設定される。
【００３３】
書き込みユニット１１７は，レーザ出力ユニット１４１，結像レンズ１４２及びミラー１４３で構成され，レーザ出力ユニット１４１の内部には，レーザ光源であるレーザダイオード（図示せず）及びモータ（図示せず）によって高速で定速回転する回転多面鏡（以下，ポリゴンミラーと記し，図示せず）が備わっている。
【００３４】
レーザ出力ユニット１４１により照射されるレーザ光は，定速回転するポリゴンミラーで偏光され，結像レンズ１４２を通り，ミラー１４３で折り返され，感光体ドラム１１６の面上に集光結像する。
【００３５】
偏光されたレーザ光は感光体ドラム１１６が回転する方向と直交する方向（主走査方向）に露光走査され，後述する画像処理ユニット４０２のセレクタ５０２（図５参照）より出力された画像信号のライン単位の記録を行う。感光体ドラム１１６の回転速度と記録密度に対応した所定の周期で主走査を繰り返すことによって，感光体ドラム１１６の面上に画像（静電潜像）が形成される。
【００３６】
上述のように，書き込みユニット１１７から出力されるレーザ光が，感光体ドラム１１６に照射される。感光体ドラム１１６の一端近傍のレーザビームを照射する位置に，主走査同期信号を発生するビームセンサ（図示せず）が配置されている。この主走査同期信号をもとに主走査方向の画像記録開始タイミングの制御，及び，後述する画像信号の入出力を行うための制御信号の生成を行う。
【００３７】
［操作部の構成］
次に，図２および図３を参照して，ユーザに対する表示，並びにユーザからの機能設定入力制御を行う操作部２０１の構成について説明する。図２は，操作部２０１を示す図である。図２に示す如く，操作部２０１には，スタートキーであるプリントキー２０２，クリア／ストップキー２０３，テンキー２０４，液晶タッチパネル２０５，初期設定キー２０７およびモードクリアキー２０８，割り込みキー２０９がある。なお，液晶タッチパネル２０５は，部数及び画像形成装置の状態を示す各種メッセージの表示や，さらに各種情報の入力等に使用される。
【００３８】
本実施の形態では，液晶タッチパネル２０５としてドット表示器を使用しているため，そのときの最適な表示をグラフィカルに行うことができる。なお，この実施の形態では，液晶タッチパネル２０５をドット表示器を使用するが特にこれに限定されるものではない。
【００３９】
また，図３は，操作部２０１の液晶タッチパネル２０５の表示画面例を示した説明図である。オペレータが液晶タッチパネル２０５に表示されたキーにタッチする事で，選択された機能を示すキーが黒く反転する。また，機能の詳細を指定しなければならない場合（例えば変倍であれは変倍値等）は，キーにタッチする事で，詳細機能の設定画面が表示される。
【００４０】
また，図３において，画面左上は，「コピーできます」，「お待ちください」等のメッセージを表示するメッセージエリア，その右側には，セットした枚数を表示するコピー枚数表示部，その下の画像濃度を自動的に調整する自動濃度キー，転写紙を自動的に選択する自動用紙選択キー，コピーを一部ずつページ順にそろえる処理を指定するソートキー，コピーをページ毎に仕分けする処理を指定するスタックキー，ソート処理されたものを一部ずつ綴じる処理を指定するステープルキー，倍率を等倍にセットする等倍キー，拡大／縮小倍率をセットする変倍キー，両面モードを設定する両面キー，とじ代モード等を設定する消去／移動キー，スタンプや日付やページ等の印字を設定する印字キーである。同図においては，選択されているモードはキーが斜線で表示されている。
【００４１】
［画像形成装置の制御系］
次に，図４及び図５を参照して，上記画像形成装置の制御系について詳細に説明する。
【００４２】
（第１の構成例）
図４は上記画像形成装置の制御系を示し，図示の如く，画像形成装置全体を制御するメインコントローラ４０１を中心に各部が配置されている。メインコントローラ４０１には，システムバスを介して，画像読み取り部４０２，画像書き込み部４０３，メモリユニット４０４，ＣＳＳ４０７，時計４０８が接続され，また，システムコントローラ４０１には，直接，利用者制限機器４０５，人体検知センサ４０６，操作部２０１が接続されている。そして，画像読み取り部４０２，画像書き込み部４０３，メモリユニット４０４は，画像データバスにより互いに接続されている。
【００４３】
上記メモリユニット４０４は，圧縮ブロック，ＤＲＡＭブロック，ＤＭＡブロックからなる。メモリユニット４０４内のＤＲＡＭブロックは，画像読みとり部４０２から読み取った画像信号を記憶するためのもので，システムコントローラー４０７からの要求に応じて，画像書き込み部４０３に保存されている画像データを転送することができる。また，圧縮ブロックは，ＭＨ，ＭＲ，ＭＭＲ方式などの圧縮機能を具備しており，一旦読み取った画像を圧縮し，メモリ（ＤＲＡＭ）の使用効率の向上を図ることができる。また，画像書き込み部４０３からの読み出すアドレスとその方向を変えることにより画像の回転を実現している。なお，，このメモリユニット４０４は，通常のコピー機能を実現することだけを考えれば，必要とはならない。
【００４４】
上記時計４０４は，ある特定の時間になったら，機械をブートしたり，シャットダウンするようなウィークリータイマー機能を実現する場合のみ必要である。また，人体検知センサ４０６は，予熱モード時に機械の前にユーザを近づいてきたときに自動的に予熱モードを解除する機能を実現する場合のみ必要である。ＣＳＳ４０７は，遠隔診断，すなわち，機械のエラーが発生した場合は自動的にサービスセンターに通報したり，機械の実行状態／使用状態を遠隔地からモニターする機能を有する。これらは，上記機能が必要な場合のみ装着されればよい。
【００４５】
（第２の構成例）
図５は，画像形成装置の制御系の他の構成例を示す図である。上記した第１の構成例（図４）では，システムコントローラ４０１のＣＰＵが，画像読みとり部４０２，画像書き込み部４０３，メモリユニット４０４，ＣＳＳ４０７の制御を行う中央制御方式であるが，本発明はこれに限られるものではなく，例えば，図５に示す如く，画像読みとり部４０２，画像書き込み部４０３，メモリユニット４０４が夫々ＣＰＵを備え，システムコントローラーから各コントローラへのコマンドを制御信号線で伝達する分散制御方式としても良い。なお，画像形成装置の制御系の構成は，上記構成例１及び２に限られるものではなく，他の構成としても良い。
【００４６】
［画像形成装置の画像処理部（ＩＰＵ）の構成］
図６は，本発明に係る画像処理部（画像読みとり部４０２と画像書き込み部４０３）の構成を示す図である。以下，図６を参照して画像処理部の構成を説明する。まず，露光ランプ５１からの照射光は原稿面を照射し，結像レンズ（図示せず）により読み取りユニット１０６のＣＣＤイメージセンサに結像される。読み取りユニット１０６のＣＣＤイメージセンサ１３８は，受光した原稿像を光電変換して画像データ（アナログ電気信号）を生成し，この画像データは，Ａ／Ｄコンバータ５０３によってデジタル信号に変換され，そして，シェーディング補正回路５０４でシェーディング補正が施された後，ＭＴＦ・γ補正回路５０５でＭＴＦ補正・γ補正処理等が施される。
【００４７】
セレクタ５０２は，ＭＴＦ・γ補正回路５０５から第１印字合成部５０６を介して入力した画像データを，第２印字合成部５０７を介して変倍回路５０８へ，あるいは，画像メモリコントローラ５１０へ，切り替えて供給するものであり，変倍回路５０８を経由した画像データは変倍率に合わせて拡大縮小され，書き込みユニット１１７に送られる。
【００４８】
一方，メモリコントローラ５１０とセレクタ５０２の間は，双方向に画像データを入出力可能な構成となっている。図６には特に明示していないが，画像処理部（ＩＰＵ）には，読み取りユニット１０６から入力される画像データ以外にもＩ／Ｏポート５１４やＳＣＳＩドライバ５１５を介して外部から供給される画像データ，例えば，パーソナルコンピュータ等のデータ処理装置から入力したデータも処理できるよう，複数のデータの入出力の選択を行う機能を有しているものとする。
【００４９】
また，画像処理部は，画像メモリコントローラ５１０等への各種情報（指令）の設定や，読み取りユニット１０６及び書き込みユニット１１７の制御を行うためのＣＰＵ５１１と，ＣＰＵ５１１のプログラムやデータを格納したＲＯＭ５１２及びＲＡＭ５１３とを備えている。さらにＣＰＵ５１１は，メモリコントローラ５１０を介して，画像メモリ５０１のデータの書き込みあるいは読み出しが行える構成である。
【００５０】
次に，図７を参照して，セレクタ５０２における１ページ分の画像データについて詳細に説明する。図７は，１ページ分の画像データのタイミングチャートである。フレームゲート信号（以下，／ＦＧＡＴＥと略記す）は，１ページの画像データの副走査方向の有効期間を表している。主走査同期信号（以下，／ＬＳＹＮＣと略記す）は１ライン毎であり，／ＬＳＹＮＣが立ち上がった後の所定クロックで画像データが有効となる。
【００５１】
主走査方向の画像データが有効であることを示す信号が，ラインゲート信号（以下，／ＬＧＡＴＥと略記す）である。これら／ＦＧＡＴＥ，／ＬＳＹＮＣ及び／ＬＧＡＴＥは，画素同期信号（以下，ＶＣＬＫと略記す）に同期しており，ＶＣＬＫの１周期に対し１画素のデータが送られてくる。
【００５２】
なお，詳細な説明は省略するが，ＩＰＵ４０２は，画像入力，画像出力のそれぞれに対して別個の／ＦＧＡＴＥ，／ＬＳＹＮＣ，／ＬＧＡＴＥ及びＶＣＬＫの発生機構を有しており，読み取った原稿画像（画像データ）の直接出力を行う場合等の位相調整等を行うことにより，様々な画像入出力の組み合わせが実現可能な構成である。
【００５３】
次に，図５及び図８を参照して，メモリコントローラ５１０及び画像メモリ５０１について詳細に説明する。図８は，メモリコントローラ５１０及び画像メモリ５０１の詳細な構成を示した図である。メモリコントローラ５１０は，入力データセレクタ７０１，画像合成部７０２，１次圧縮／伸長部７０３，出力データセレクタ７０４，２次圧縮／伸長部７０５を有している。上記各部への制御データの設定は，ＣＰＵ５１１によって行われる。なお，図６に示したアドレス，データは画像データのアドレス及びデータを示しており，ＣＰＵ５１１に接続される制御データのデータ，アドレスは省略してある。
【００５４】
画像メモリ５０１は，１次記憶装置７０６及び２次記憶装置７０７から構成される。１次記憶装置７０６は，入力した画像データの転送速度に略同期して画像メモリ５０１への書き込み，または，画像出力時の画像メモリ５０１からの読み出しが高速に行えるように，例えば，ＤＲＡＭ等の高速アクセスが可能なものを使用する。また，１次記憶装置７０６は，処理を行う画像データの大きさにより複数のエリアに分割して画像データの入出力を同時に実行可能な構成（図示を省略するが，メモリコントローラ５１０とのインターフェース部）を採っている。
【００５５】
各分割したエリアに画像データの入力，出力をそれぞれ並列に実行可能とするためにメモリコントローラ５１０とのインターフェースにリード用とライト用の二組のアドレス・データ線で接続されている。これによりエリア１に画像を入力（ライト）する間にエリア２より画像を出力（リード）するという動作が可能になる。
【００５６】
２次記憶装置７０７は，入力された画像の合成，ソーティングを行うためのデータを保存しておく大容量のメモリである。１次記憶装置７０６及び２次記憶装置７０７共に高速アクセス可能な素子を使用すれば，１次記憶装置７０６，２次記憶装置７０７の区別なくデータの処理が行え，且つ，メモリコントローラ５１０の制御も比較的簡単になるが，ＤＲＡＭ等の素子は高価であるため，１次記憶装置７０６のアクセス速度を高速として，入出力データの処理を行う構成にしている。なお，１次記憶装置７０６と同様に２次記憶装置７０７にもＤＲＡＭ等の高速素子を使用しても良いことは勿論である。
【００５７】
上述のように画像メモリ５０１を１次記憶装置７０６及び２次記憶装置７０７で構成することにより，大量の画像データの入出力，保存，加工等の処理が可能な画像形成装置を安価，且つ，比較的簡単な構成で実現することが可能になる。なお，集約コピー機能のおける集約画像は，１次記憶装置７０６上に複数の原稿画像を１枚の転写紙へ書き込む形式に並べて保存されている。
【００５８】
次に，メモリコントローラ５１０の動作の概略を説明する。まず，画像入力（画像メモリ５０１への保存）について説明する。
【００５９】
入力データセレクタ７０１は，複数のデータの内から，画像メモリ（１次記憶装置７０６）への書き込みを行う画像データの選択を行う。入力データセレクタ７０１によって選択された画像データは，画像合成部７０２に供給され，画像合成部７０２で既に画像メモリ５０１に保存されているデータと合成される。画像合成部７０２によって処理された画像データは，１次圧縮／伸長部７０３によりデータ圧縮を施され，圧縮後のデータが１次記憶装置７０６に書き込まれる。１次記憶装置７０６に書き込まれたデータは，必要に応じて２次圧縮／伸長部７０５でさらに圧縮を行った後に，２次記憶装置７０７に保存される。
【００６０】
次に，画像出力（画像メモリ５０１からの画像データの読み出し）について説明する。まず，画像出力時は，１次記憶装置７０６に記憶されている画像データの読み出しを行う。出力対象となる画像が１次記憶装置７０６に格納されている場合にも，１次圧縮／伸長部７０３で１次記憶装置７０６の画像データの伸長を行い，伸長後のデータ，あるいは，伸長後のデータと入力データとの画像合成を行った後のデータを出力データセレクタ７０４で選択し，出力する。
【００６１】
画像合成部７０２は，１次記憶装置７０６のデータと，入力データとの合成（画像データの位相調整機能を有する），合成後のデータの出力先の選択（画像出力，１次記憶装置７０６へのライトバック，両方の出力先への同時出力も可能）等の処理を行う。
【００６２】
出力対象となる画像が１次記憶装置７０６に格納されていない場合には，２次記憶装置７０７に格納されている出力対象画像データを２次圧縮／伸長部７０５で伸長を行い，伸長後のデータを１次記憶装置７０６に書き込んでから，以下，上述の画像出力動作を行う。
【００６３】
［複写機ネットワークシステムの構成］
図９は，本実施の形態に係るデジタル複写機を複数台接続した複写機ネットワークシステムを示している（なお，複写機ネットワークを構成するデジタル複写機を「ネットワークコピー機」と称する）。図９に示すように，複数台のデジタルコピー機がネットワークインターフェースを介して互いに接続されている。同図では，８台のデジタル複写機をネットワーク化した例をしているが，接続するデジタル複写機の台数はこれに限定されるものではなく，何台を接続する構成としても良い。
【００６４】
［ネットワークコピー機のハード構成］
図１０は，上記ネットワークコピー機のハード構成を示す図であり，特に，２台のネットワークコピー機（「デジタルＰＰＣ−Ｉ」と「デジタルＰＰＣ−ＩＩ」）を接続した例を示している。同図に示すように１台のデジタル複写機のハード構成は，図４のハード構成例１とほぼ同様な構成であるが，さらに，読み取った画像を外部のネットワーク上に転送，あるいは，ネットワーク上からの画像データをメモリユニット内のＤＲＡＭブロック部に保存するために，ネットワーク手段としてＳＣＳＩ（Small Computer System Interface ）及びＳＣＳＩコントローラを備えている。
【００６５】
ネットワーク通信手段には，例えば，イーサネットを物理手段として用い，データ通信にＯＳＩ（Open System Interface ）参照モデルのＴＣＰ／ＩＰ通信を用いるなど，種々の手段が考えられる。また，同図のような構成を用いることにより，上述のように画像データの転送はもちろんのこと，ネットワーク上に存在する各機械の機内状態通知や後述するリモート出力コマンドのような制御コマンド，設定コマンドの転送も行っている。
【００６６】
次に「デジタルＰＰＣ−Ｉ」で読み取った画像を「デジタルＰＰＣ−ＩＩ」の画像書き込み部に転送する動作（以下，「リモート出力」と称する）を図１０及び図１１を参照して説明する。図１１は，「デジタルＰＰＣ−Ｉ」と「デジタルＰＰＣ−ＩＩ」のソフトウェアの概念図を示している。
【００６７】
図１１において，「コピーアプリ」は複写動作を実行するためのコピーシーケンスを実行するアプリケーション，「入出力制御」はデータを論理／物理変換するレイア（デバイスドライバー），操作部コントローラは，ＭＭＩ（Man Machine Interface ）を実行するレイア（ＬＣＤ表示やＬＥＤ点灯／消灯，キー入力スキャン等を論理レベルで行うレイア），「周辺機コントローラ」は自動両面ユニット，ソータや，ＡＤＦなどのＰＰＣに装着される周辺機のコントロールを論理レベルで実行するレイアを示し，「画像形成部コントローラ」，「画像読みとり装置コントローラ」，「メモリユニット」は前述の如くである。
【００６８】
また，「デーモンプロセス」はネットワーク上にある他の機械からプリント要求が依頼された場合に，メモリユニット内に保存されている画像データ読み出し，「画像形成部」に画像データを転送する役目を行うアプリケーションとして存在している。当然のことながら，「デーモンプロセス」がメモリユニットから画像を読み出し，プリント動作を実行する前に，ネットワーク上の他の機械からの画像転送は終了しておかなければならない。
【００６９】
また，操作部，周辺機，画像形成部，画像読みとり装置，メモリユニットはそれぞれのＰＰＣが保有するリソース（資源）として扱われる。同図の「デジタルＰＰＣ−Ｉ」が自身の各リソースを使用して複写動作を実行する場合（プリントスタートキ−押下時）には，「システムコントローラ」に対して，「画像形成装置」，「画像読みとり装置」，あるいは，必要に応じて，「周辺機」，「メモリユニット」の各リソースを「システム制御」部に要求する。
【００７０】
「システム制御」部は，「コピーアプリ」からの要求に対して，リソースの使用権の調停を行い，「コピーアプリ」にその調停結果（使用可否）を通知する。「デジタルＰＰＣ−Ｉ」がスタンドアローンで使用される場合（ネットワーク接続されない状態）では，システムが保有するリソースは全て「コピーアプリ」が占有可能状態であるため，即時に複写動作が実行される。一方，本実施の形態の如く，ネットワーク上に存在する別の機械（以下，遠隔デジタルＰＰＣ）のリソースを使用してプリント動作を実行する遠隔デジタルＰＰＣの「システムコントローラ」に対してリソースの使用権を要求する。
【００７１】
遠隔デジタルＰＰＣのシステムコントローラは，要求に従ってリソースの調停を行い，その結果を要求元の機械のアプリケーションに通知する。アプリケーションは使用権が許可された場合は，画像の読みとりを実行し，自身のメモリユニット内への画像記憶が終了すると，外部インターフェース（本実施例ではＳＣＳＩ）を介して，リモート出力先の機械のメモリユニットに画像転送を行う。画像転送が終了すると，リモート出力先の機械の「デーモンプロセス」に対してプリント実行するための各条件（給紙口，排紙口，プリント枚数など）を送信した後に，「プリント開始」コマンドを送信する。リモート出力先の「デーモンプロセス」は「プリント開始」コマンドを受信すると，自身（リモート出力を実行する機械）の「システムコントローラ」に対してプリント開始を要求し，リモート出力がシステムコントローラによって実行される。
【００７２】
「デジタルＰＰＣ−Ｉ」によって「デジタルＰＰＣ−ＩＩ」のメモリユニットが使用されている場合は，「デジタルＰＰＣ−ＩＩ」のメモリユニットは，「デジタルＰＰＣ−ＩＩ」（あるいは，図９に示すような複数のデジタルＰＰＣがネットワーク上に接続される場合は「デジタルＰＰＣ−Ｉ」以外のデジタルＰＰＣ）のアプリケーションの使用は不可状態となる。
【００７３】
［用語の説明・定義］
次に，本明細書で使用する用語について説明する。
［画像読みとり装置（画像読みとり部）］：デジタルＰＰＣで用いられる「画像読みとり装置」としては，光源を原稿に照射し，その反射光を「固体撮像素子＝ＣＣＤ」で電気信号に変換し，「必要な画像処理」を行う機能を持った装置が使用されている。ここで，「必要な画像処理」とは，量子化（ＣＣＤで電気信号に変換されたアナログデータを２値あるいは多値データに変換する。），シェーディング補正（原稿を照射する光源の照射ムラや，ＣＣＤの感度ばらつきを補正する）・ＭＴＦ補正（光学系によるボケを補正する。）・変倍処理（画像の読みとり密度を変化させ，読み取った画像データを用いてデータ補間する等の処理を示す。）等をいう。
【００７４】
［画像形成部］：デジタルＰＰＣで用いられる［画像形成部」は，電気信号で送られた画像イメージを電子写真，感熱，熱転写，インクジェット等の手段により普通紙，感熱紙などに形成する装置である。
【００７５】
［ビデオ信号］，［画像データ］：前述の「画像読みとり装置」で変換された画像の電気信号，「画像形成部」へ入力される画像の電気信号，及び，画像の電気信号と同期をとるための信号をまとめて「ビデオ信号」あるいは「画像データ」と表現する。
【００７６】
［制御信号］，［コマンド］：「ビデオ信号」を「画像読みとり装置」，「画像形成部」，「アプリケーション」間でやりとりするためには，装置間で情報を伝達し合う必要がある。この手段を「制御信号」または「コマンド」発行と表現する。
【００７７】
［拡張機能］，［アプリケーション（アプリと略す）］，［メモリ機能］，［メモリユニット］：デジタルＰＰＣの大きな特徴は，画像を電気信号に変換して読み込み，電気信号を画像形成装置で復元することである。このとき読み取った電気信号を様々に変化（画像処理），伝達する手段を持つことによって，従来のアナログＰＰＣ以外の分野に応用可能となる。ＦＡＸ，ページプリンター，スキャナ，ファイルシステムなどの機能を実現できるほか，最近では，ＰＰＣ機能の実行時においても，読み取った画像データを一旦，ＤＲＡＭなどの記憶装置に記憶させ，必要に応じて画像データを読み出すことによって，複数の複写時には１スキャンで複数プリントを実行したり，あるいは，複数の原稿を１枚の転写紙にプリントする機能（＝以下メモリ機能）等も実現されている。これらのデジタルＰＰＣシステムならでは実現できる機能を「拡張機能」あるいは「アプリ」と表現する。なお，メモリユニットはネットワーク上にある機械間の画像データ転送時の緩衝手段としても利用している。
【００７８】
［システムコントローラ］，「システム］：複写モードを実行する上で，画像書き込み部で画像形成するために，紙搬送処理，電子写真プロセス処理，異常状態や給紙カセット状態（紙の有無など）等の機内監視，及び，画像読みとり部で画像を読みとるために，スキャナ動作や光源のＯＮ／ＯＦＦなどを制御するコントローラを総称して「システムコントローラ」と表現する。さらに，最近のデジタルＰＰＣでは拡張機能を１つ搭載するのみではなく複数アプリを同時搭載するようになってきた。このように，１つの資源を共有するデジタルＰＰＣを「システム」と表現し，このシステムを制御するコントローラを「システムコントローラ」と表現する場合もある。
【００７９】
［資源］，［リソース］：複数のアプリから共有される機能ユニット単位を「資源」，「リソース」と表現する。前述の「システムコントローラ」は，このリソース単位でシステム制御を行っている。本件のデジタルＰＰＣで管理している資源は「画像読みとり装置」，「画像形成部」，「操作部」，「メモリ」，「周辺機（＝ＡＤＦ，ソーター，自動両面ユニットなど）」などがある。
【００８０】
［利用者制限］：特に電子写真プロセスを使用しているＰＰＣは，消費量が多いため，無制限に使用を許可したくない場合がある。このとき，「利用者」を特定，限定，管理するために，「コインラック」，「キーカウンター」，「キーカード」，「プリペードカード」，等の「利用者制限機器」や「暗証コード」等を使用する。
【００８１】
［ユーザ設定］：システムが複雑になると，ユーザ毎の個別対応が必要となる。工場出荷時にこれらの対応を全て満足することは不可能であるため，市場での対応が不可欠となる。従って，通常は，不揮発ＲＡＭを装備し，顧客の要求に応じたシステム設定を可能としているが，この機能を「ユーザ設定」と表現する。
【００８２】
［アイドル状態］：ユーザーよる操作が行われていない状態が一定期間継続した状態を「アイドル状態」，それ以外の状態を「ビジー状態」と表現する。「ビジー状態」から「アイドル状態」に遷移するまでの時間はユーザー設定可能である。例えば，複写動作中はもちろん，複写動作が終了しても一定期間，ユーザーによる無操作状態が継続しないと「アイドル状態」には遷移しない。
【００８３】
［ウィークリータイマー］：各曜日ごとに設定されたＯＮ／ＯＦＦ時間に合わせ電源をＯＮ／ＯＦＦする機能である。
【００８４】
［予熱］：定着温度を一定温度（たとえば１０℃）下げて制御し，操作部表示を消すことにより，消費電力を節約するモードである。このモードの設定は，操作部でのキー入力や，機械設定によっては動作および操作が無くなってから一定時間後に自動的に設定される。このモードの解除は，操作部でのキー入力や，機械設定によって人体検知センサにより機械の前に人が立ったことを検出したときに解除される。
【００８５】
［リロード］：定着温度が定着可能温度に到達しコピーが可能である状態をリロードという。
【００８６】
［割り込みモード］：コピー動作実行中および操作中において一時的にコピー作業を割り込んでコピーするときのモードである。このモードを設定することによりその前のコピーモード，およびコピー途中であればその途中経過情報を不揮発ＲＡＭに記憶し，割り込みモードに移行し，モードを初期化する。コピー動作実行後，割り込みモード解除すると，不揮発ＲＡＭに記憶したモードおよび情報を戻して割り込みモード設定前の状態を復帰させ，再スタートにて，割り込み前のモードを継続する事ができる。このモードの設定／解除は操作部２０１のキーにて行うことができる。
【００８７】
［予約モード］：複数のコピーアプリを起動させ，システムコントローラによりリソース管理を行う。あるコピーアプリが画像形成動作中にあり，操作部や画像読み取り装置が開放されていれば，別のコピーアプリに使用を許可し，設定の操作や原稿の読み取りを行う（図１２参照）。
【００８８】
［ＣＳＳ］（あるいは［遠隔診断システム］，［画像形成装置管理システム］）：図２０は，画像形成装置管理システムの構成を示している。サービス拠点に設置されている管理装置１００３とユーザの元に設置されているＰＰＣ１０００等の機器とを公衆回線網１００２を介して接続している。ユーザ側には管理装置１００３との通信を制御するための通信コントロール装置１００１が設置されており，ユーザ元のＰＰＣ１０００はこの通信コントロール装置１００１に接続されている。通信コントロール装置１００１には，電話機やファクシミリが接続可能になっており，ユーザの既存の回線に挿入する形で設置が可能になっている。通信コントロール装置１００１には，複数のＰＰＣが接続可能になっているが，勿論単数の場合もある。
【００８９】
これらのＰＰＣは同型のものである必要はなく異なる機種でもかまわず，ＰＰＣ以外の機器でもかまわない。ここでは説明の便宜上，１台の通信コントロール装置には最大５台のＰＰＣが接続可能であるとする。通信コントロール装置と複数のＰＰＣはＲＳ−４８５規格によりマルチドロップ接続されている。通信コントロール装置と各ＰＰＣ間の通信制御は基本型データ伝送制御手順により行われる。通信コントロール装置を制御局としたセントラライズド制御のポーリング／セレクティング方式でデータリンクの確立を行うことにより，任意のＰＰＣとの通信が可能になっている。各ＰＰＣはアドレス設定スイッチによって固有の値を設定できるようになっており，これによって各ＰＰＣのポーリングアドレス，セレクティングアドレスが決定される。
【００９０】
［予約コピー］は，上記図１２に示したように，複数のコピーアプリを起動させ，それぞれが独立した動作をするものとする。共有資源である，操作部，周辺機，画像書き込み部（画像形成手段），画像読み取り装置，メモリはシステムコントローラにより調停される。複数のコピーアプリは，操作部が提供する仮想画面にそれぞれの操作画面情報を書き込むことが可能である。操作部はシステムコントローラから指示される操作部オーナーアプリの仮想画面の画面情報を実画面に展開する。
【００９１】
［動作予約］：動作予約の段階では，複写機において定着の加熱中等の時はコピー動作が開始できないが，モード設定及び原稿のセットを終了させ予約することにより，定着加熱終了後，コピー動作可になった時点で自動的にコピー動作を開始する機能のことである。この実施例では，定着加熱中を動作予約可能対象としているが，これ以外にも時間の経過と共に動作可能になるものについては，対象になる資格がある。ＬＣＴトレイ上昇時間，ポリゴンモータ回転安定時間，トナー補給動作中等考えられる。
【００９２】
［動作例］
次に，以上のように構成された画像形成装置（特に，図９に示すようなシステムの場合）の動作について，特に，本発明にの連結複写動作に関連する部分を説明する。なお，連結動作とは，先に述べたように，１枚の複写原稿から大量の複写枚数を効率的に処理するために，画像形成装置を複数台連結し，大量複写枚数をそれぞれに分担させ，並行複写を行う機能である。
【００９３】
（連結動作中のウィークリータイマーによる電源ＯＦＦ動作制御例）
図１３に示す状態遷移図および図１５，図１６のフローチャートを用い，連結動作中のウィークリータイマーによる電源ＯＦＦ動作制御例について説明する。
【００９４】
図１３において，複写機ネットワークシステムの任意の１台において連結動作が指示された場合，複写機ネットワークシステム内で現在稼働していない（複写動作を行っていない）画像形成装置に対し，連結動作の通知がなされる（状態ａ）。以後，前者を親機１３００，後者を子機１３１０という。子機１３１０側では，連結動作の通知がなされている間は，ウィークリータイマーによる電源ＯＦＦ状態を検知した場合にも，電源ＯＦＦ処理を行わない。次に，親機１３００から子機１３１０に対して連結動作解除の通知がなされた場合（状態ｂ），ウィークリータイマーのチェックを実行し，現在電源ＯＦＦ期間であると検知した場合には，即時電源を遮断する。
【００９５】
さらに，上述の動作をフローチャートを参照しながら説明する。図１４は，図１３における期間中動作例（１）を示すフローチャートであり，状態ａにおける場合について示している。図において，まず，ウィークリータイマーによる電源ＯＦＦ時刻であるか否かを判断する（Ｓ１４０１）。ここで，ウィークリータイマーによる電源ＯＦＦ時刻であると判断すると，さらに連結モード中であるか否かを判断す（Ｓ１４０２）。そして，連結モード中ではないと判断すると，所定の電源ＯＦＦ処理を実行する（Ｓ１４０３）。
【００９６】
図１５は，図１３における期間中動作例（２）を示すフローチャートであり，状態ｂにおける場合について示している。図において，まず，ウィークリータイマーによる電源ＯＦＦ時刻であるか否かを判断する（Ｓ１５０１）。ここで，ウィークリータイマーによる電源ＯＦＦ時刻であると判断した場合，所定の電源ＯＦＦ処理を実行する（Ｓ１５０２）。
【００９７】
（連結動作中の余熱動作制御例）
図１６に示す状態遷移図および図１７，図１８，図１９のフローチャートを用い，連結動作中の余熱動作制御例について説明する。
【００９８】
図１６において，複写機ネットワークシステム内で現在稼働していない（複写動作を行っていない）画像形成装置に対し，連結動作の通知がなされる（状態ａ）。子機側では，連結動作通知がなされている間は，余熱移行タイマによる余熱状を検知した場合にも，余熱移行処理を行わない。次に，親機から子機に対して連結動作解除通知がなされた場合（状態ｂ），余熱移行タイマを０にクリアーし，再度余熱移行タイマーのカウントアップ処理を開始する。
【００９９】
さらに，上述の動作をフローチャートを参照しながら説明する。図１７は，図１６における期間中動作例（１）を示すフローチャートであり，状態ａにおける場合について示している。図において，まず，余熱移行時間カウントが予め設定されている余熱移行時間設定値以上に達したか否かを判断する（Ｓ１７０１）。ここで，余熱移行時間カウントが余熱移行時間設定値以上に達したと判断した場合，さらに連結モード中であるか否かを判断する（Ｓ１７０２）。そして，連結モード中ではないと判断すれば，所定の余熱移行動作を実行する（Ｓ１７０３）。
【０１００】
図１８は，図１６における期間中動作例（２）を示すフローチャートであり，状態ｂ（連結動作解除通知および応答時）には，余熱移行時間カウントを０にクリアする（Ｓ１８０１）。また，図１９は，図１６における期間中動作例（３）を示すフローチャートであり，まず，余熱移行時間カウントが予め設定されている余熱移行時間設定値以上に達したか否かを判断する（Ｓ１９０１）。ここで，余熱移行時間カウントが余熱移行時間設定値以上に達したと判断した場合，所定の余熱移行動作を実行する（Ｓ１９０２）。
【０１０１】
また，本発明は，上記実施の形態のみに限定されるものではなく，発明の要旨を変更しない範囲で適宜変形して実施可能である。
【０１０２】
【発明の効果】
以上説明してきたように，本発明に係る複写機ネットワークシステムの連結複写方法（請求項１）によれば，同一原稿から複数の画像形成装置が分担・並行して同一複写処理を実行する連結複写機能と，少なくとも子機が，各曜日毎に設定されたＯＮ／ＯＦＦ時間に合わせて主電源をＯＮ／ＯＦＦするウィークリータイマー機能を備えた複写機ネットワークシステムにおいて，連結複写動作を実行する場合にウィークリータイマー機能による子機の電源ＯＦＦを無効することにより，子機の電源再立ち上げが不要となって立ち上げまでの待ち時間がなくなるため，効率的な連結複写動作が実現する。
【０１０３】
また，本発明に係る複写機ネットワークシステムの連結複写方法（請求項２）によれば，連結複写動作解除後に，ウィークリータイマーによる電源ＯＦＦ期間の場合には即時電源をＯＦＦすることにより，ウィークリータイマーの主機能を連結システムでも正常に機能させることができる。
【０１０４】
また，本発明に係る複写機ネットワークシステムの連結複写方法（請求項３）によれば，同一原稿から複数の画像形成装置が分担・並行して同一複写処理を実行する連結複写機能と，少なくとも子機が，定着温度を一定温度下げて制御する余熱省電力モードを備えた複写機ネットワークシステムにおいて，連結複写動作を実行する場合に余熱省電力モードによる子機の余熱移行を無効することにより，子機の余熱状態から正規の定着温度までの再立ち上げが不要となり，立ち上げまでの待ち時間がなくなるため，効率的な連結複写動作が実現する。
【図面の簡単な説明】
【図１】この発明に係る画像形成装置の構成図である。
【図２】操作部の構成を示す説明図である。
【図３】操作部の液晶タッチパネルの表示画面例を示す説明図である。
【図４】図１に示した画像形成装置の制御系（構成例１）を示す図である。
【図５】図１に示した画像形成装置の制御系（構成例２）を示す説明図である。
【図６】図４の画像処理部を示した構成図である。
【図７】１ページ分の画像信号を示すタイミングチャートである。
【図８】図６に示したメモリコントローラ及び画像メモリの詳細な構成を示す説明図である。
【図９】複写機ネットワークシステムを示す説明図である。
【図１０】ネットワークコピー機のハード構成を示す説明図である。
【図１１】ネットワークコピー機のソフトウエア概念図である。
【図１２】複数のコピーアプリを起動させた場合のソフトウエア概念図である。
【図１３】本発明の実施の形態に係る連結動作例（その１）を示す状態遷移図である。
【図１４】図１３における期間動作中（１）のウィークリータイマーによる電源ＯＦＦ制御例を示すフローチャートである。
【図１５】図１３における期間動作中（２）のウィークリータイマーによる電源ＯＦＦ制御例を示すフローチャートである。
【図１６】本発明の実施の形態に係る連結動作例（その２）を示す状態遷移図である。
【図１７】図１６における期間動作中（１）の余熱動作制御例を示すフローチャートである。
【図１８】図１６における期間動作中（２）の余熱動作制御例を示すフローチャートである。
【図１９】図１６における期間動作中（３）の余熱動作制御例を示すフローチャートである。
【図２０】画像形成装置管理システムの構成を示す説明図である。
【符号の説明】
１０６    読み取りユニット
２０１    操作部
２０２    プリントキー
２０３    クリア／ストップキー
２０４    テンキー
２０７    初期設定キー
４０１    メインコントローラ
４０２    画像読み取り部
４０３    画像書き込み部
４０４    メモリユニット
４０５    利用者制限機
４０６    人体検知センサ
４０８    時計
５０１    画像メモリ
５１１    ＣＰＵ
５１２    ＲＯＭ
５１３    ＲＡＭ
５１４    Ｉ／Ｏポート
５１５    ＳＣＳＩドライバ
１３００  親機
１３１０  子機
【図１】
0003785274.tif 000002
【図２】
0003785274.tif 000003
【図３】
0003785274.tif 000004
【図４】
0003785274.tif 000005
【図５】
0003785274.tif 000006
【図６】
0003785274.tif 000007
【図７】
0003785274.tif 000008
【図８】
0003785274.tif 000009
【図９】
0003785274.tif 000010
【図１０】
0003785274.tif 000011
【図１１】
0003785274.tif 000012
【図１２】
0003785274.tif 000013
【図１３】
0003785274.tif 000014
【図１４】
0003785274.tif 000015
【図１５】
0003785274.tif 000016
【図１６】
0003785274.tif 000017
【図１７】
0003785274.tif 000018
【図１８】
0003785274.tif 000019
【図１９】
0003785274.tif 000020
【図２０】
0003785274.tif 000021